(57)【要約】【課題】  基材を反転させることなく基材の裏面側に照射される紫外線量を容易に確認できるようにすること。【解決手段】  不透明シートの基材１１に、紫外線量に応じて変色する感光体２１Ａを基材１１の表面１１Ａに印刷して表面側センサ部２１を形成し、基材１１に窓孔１１Ｃを形成し、紫外線カットフィルム３２により窓孔１１Ｃを塞いで、紫外線カットフィルム３２の裏面３２Ａ側から感光体３１Ａを印刷して裏面側センサ部３１を形成した。【選択図】      図３
2006138686.tif 000002
【特許請求の範囲】
【請求項１】
シート状の基材に、この基材の裏面側の紫外線量に応じて変色する裏面側センサ部を設け、この裏面側センサ部の変色を前記基材の表面側から視認可能にしたことを特徴とする紫外線モニタ。
【請求項２】
前記基材に、前記基材の表面側の紫外線量に応じて変色する表面側センサ部を更に設けたことを特徴とする請求項１に記載の紫外線モニタ。
【請求項３】
前記基材が紫外線及び可視光線を遮断する不透明シートであり、前記表面側センサ部が、この不透明シートの表面側に設けられ、前記裏面側センサ部が、前記不透明シートに開けた窓孔に設けられていることを特徴とする請求項２に記載の紫外線モニタ。
【請求項４】
前記裏面側センサ部は、前記窓孔に設けられた透明フィルムに形成されていることを特徴とする請求項３に記載の紫外線モニタ。
【請求項５】
前記透明フィルムは、紫外線を遮断し、前記裏面側センサ部は、前記透明フィルムの裏面側に設けられていることを特徴とする請求項４に記載の紫外線モニタ。
【請求項６】
前記裏面側センサ部は、前記表面側センサ部よりも感光感度が低いことを特徴とする請求項４に記載の紫外線モニタ。
【請求項７】
前記基材が少なくとも可視光線を透過する透明シートであることを特徴とする請求項２に記載の紫外線モニタ。
【請求項８】
前記透明シートが紫外線を遮断し、
前記表面側センサ部は、前記透明シートの表面側に設けられ、
前記裏面側センサ部は、前記透明シートの裏面側に設けられていることを特徴とする請求項７に記載の紫外線モニタ。
【請求項９】
前記透明シートが紫外線を透過し、
前記透明シートの裏面側には、前記表面側センサ部に対応する部分に紫外線を遮断する透明フィルムが設けられ、
前記透明シートの表面側には、前記裏面側センサ部に対応する部分に紫外線を遮断する透明フィルムが設けられていることを特徴とする請求項７に記載の紫外線モニタ。
【請求項１０】
前記透明シートが紫外線を透過し、
前記透明シートの裏面側には、前記表面側センサ部に対応する部分に紫外線を遮断するフィルムが設けられ、
前記裏面側センサ部は、前記表面側センサ部よりも感光感度が低いことを特徴とする請求項７に記載の紫外線モニタ。
【発明の詳細な説明】
【技術分野】
【０００１】
本発明は、紫外線ランプに用いられる紫外線モニタに関する。
【背景技術】
【０００２】
一般に、紫外線ランプを備え、この紫外線ランプによる紫外線の放射によって、カテーテル等を殺菌したり、液状物等を硬化させるキュアリングを行う紫外線照射装置が知られている。この紫外線照射装置の本体内には、照射対象物が載置される網棚が設けられており、紫外線照射装置の扉を開けることにより、照射対象物の出し入れが可能である。この紫外線照射装置の扉には、本体内の様子を視認できるように、ガラスの窓が形成されている。
【０００３】
この種の紫外線照射装置では、照射対象物に所定強度以上の紫外線を所定時間照射させるために、積算計（タイマ）により照射時間を管理している。この積算計を用いる紫外線照射装置では、本体内に配置した照射対象物を殺菌或いはキュアリングを行っている途中に、新たに別の照射対象物を本体内に入れた場合、この照射対象物を確実に殺菌或いはキュアリングを行うために、積算計をリセットして再度計時させる必要がある。
【０００４】
このように、本体内に後から別の照射対象物を入れた場合、先に入れた照射対象物の殺菌或いはキュアリングが完了しても、ユーザは、先の照射対象物の殺菌が完了したか否かを知ることができないので、後から入れた照射対象物の殺菌或いはキュアリングが完了するまで、引き続き紫外線を照射することとなり、無駄に時間を費やすこととなる。
【０００５】
そこで、従来、基材の表面に紫外線量に応じて変色する感光体を塗布した紫外線モニタが知られており（例えば、特許文献１参照）、この紫外線モニタを照射対象物と対にして本体内に配置し、この紫外線モニタを目視することで照射対象物の殺菌或いはキュアリングが完了したか否かを判断することが考えられる。
【特許文献１】特開平９−５３９８１号公報
【発明の開示】
【発明が解決しようとする課題】
【０００６】
ところで、上記紫外線照射装置の本体内において、紫外線ランプの配置状況や紫外線ランプの特性等により、照射対象物を配置した場所やその照射対象物の照射方向によって照射対象物に照射される紫外線強度が異なるものである。つまり、本体内に配置した照射対象物の表側の面と裏側の面とで照射される紫外線強度が異なるので、照射対象物の両面の殺菌或いはキュアリングが完了したか否かを確認するために、上記紫外線モニタを二枚一組で用い、一方の紫外線モニタの感光体を表側にして配置し、他方の紫外線モニタの感光体を裏側にして配置することが考えられる。
【０００７】
しかし、このように紫外線モニタを配置した場合、表側の感光体は、紫外線照射装置の扉に設けたガラスの窓越しに視認することが可能であるが、裏面側の感光体は、照射対象物の殺菌或いはキュアリングを中断し、扉を開けて紫外線モニタの基材を反転させて確認しなければならず、作業性が悪い。
【０００８】
そこで、本発明の目的は、上述した従来の技術が有する課題を解消し、基材を反転させることなく、基材の裏面側に照射される紫外線量を確認できる紫外線モニタを提供することにある。
【課題を解決するための手段】
【０００９】
上記課題を解決するため、本発明は、紫外線モニタにおいて、シート状の基材に、この基材の裏面側の紫外線量に応じて変色する裏面側センサ部を設け、この裏面側センサ部の変色を前記基材の表面側から視認可能にしたことを特徴とするものである。
【００１０】
また、前記紫外線モニタにおいて、前記基材に、前記基材の表面側の紫外線量に応じて変色する表面側センサ部を更に設けたことを特徴とするものである。
【００１１】
また、前記紫外線モニタにおいて、前記基材が紫外線及び可視光線を遮断する不透明シートであり、前記表面側センサ部が、この不透明シートの表面側に設けられ、前記裏面側センサ部が、前記不透明シートに開けた窓孔に設けられていることを特徴とするものである。
【００１２】
また、前記紫外線モニタにおいて、前記裏面側センサ部は、前記窓孔に設けられた透明フィルムに形成されていることを特徴とするものである。
【００１３】
また、前記紫外線モニタにおいて、前記透明フィルムは、紫外線を遮断し、前記裏面側センサ部は、前記透明フィルムの裏面側に設けられていることを特徴とするものである。
【００１４】
また、前記紫外線モニタにおいて、前記裏面側センサ部は、前記表面側センサ部よりも感光感度が低いことを特徴とするものである。
【００１５】
また、前記紫外線モニタにおいて、前記基材が少なくとも可視光線を透過する透明シートであることを特徴とするものである。
【００１６】
また、前記紫外線モニタにおいて、前記透明シートが紫外線を遮断し、前記表面側センサ部は、前記透明シートの表面側に設けられ、前記裏面側センサ部は、前記透明シートの裏面側に設けられていることを特徴とするものである。
【００１７】
また、前記紫外線モニタにおいて、前記透明シートが紫外線を透過し、前記透明シートの裏面側には、前記表面側センサ部に対応する部分に紫外線を遮断する透明フィルムが設けられ、前記透明シートの表面側には、前記裏面側センサ部に対応する部分に紫外線を遮断する透明フィルムが設けられていることを特徴とするものである。
【００１８】
また、前記紫外線モニタにおいて、前記透明シートが紫外線を透過し、前記透明シートの裏面側には、前記表面側センサ部に対応する部分に紫外線を遮断するフィルムが設けられ、前記裏面側センサ部は、前記表面側センサ部よりも感光感度が低いことを特徴とするものである。
【発明の効果】
【００１９】
本発明によれば、基材を反転させることなく、基材の裏面側に照射される紫外線量を確認することができる。
【発明を実施するための最良の形態】
【００２０】
以下、本発明の実施形態について図面を参照して説明する。
［１］第１実施形態
図１は、本第１実施形態に係る紫外線モニタ１０が配置される紫外線照射装置としての紫外線殺菌保管庫１００を示す斜視図である。
【００２１】
この図１に示すように、紫外線殺菌保管庫１００は、本体１００Ａと、この本体１００Ａの前方に開閉可能に設けられた扉１０１とを備えている。この扉１０１は、本体１００Ａの下端にヒンジ等で固定される枠体１０１Ａと、この枠体１０１Ａに取付けられたガラス１０１Ｂとを備えており、このガラス１０１Ｂを通じて本体１００Ａの庫内１００Ｂを目視することができる。
【００２２】
この本体１００Ａ内には、複数本（２本）の棒状の紫外線ランプ１０２と、複数枚（２枚）のステンレス製の網棚１０３とが配置されている。これら網棚１０３は、水平に配置され、紫外線ランプ１０２は、本体１００Ａ内の後方に網棚１０３に平行（或いは垂直）に配置されている。
【００２３】
庫内１００Ｂの網棚１０３には、カテーテル等の照射対象物Ｘがユーザにより載置され、照射対象物Ｘには、紫外線ランプ１０２により紫外線が照射されて殺菌される。
【００２４】
本体１００Ａの内面は、紫外線ランプ１０２より放射された紫外線を反射する材質であるステンレスで形成されており、紫外線ランプ１０２より放射された紫外線を照射対象物Ｘに各方向から照射可能に構成されている。
【００２５】
紫外線殺菌保管庫１００は、扉１０１がユーザにより開けられた場合、自動的に紫外線ランプ１０２による紫外線の放射が停止されるように構成され、照射対象物Ｘの出し入れが可能となる。
【００２６】
殺菌しようとする照射対象物Ｘを庫内１００Ｂの網棚１０３上に配置する場合には、この照射対象物Ｘと同時に、紫外線量を確認できるシート状の紫外線モニタ１０が、当該照射対象物Ｘと対にして照射対象物Ｘの近傍に配置される。紫外線モニタ１０は、各照射対象物Ｘに対してそれぞれ設置される。
【００２７】
紫外線ランプ１０２は、アノード及びカソードの電極付近では紫外線強度が最も弱く、略中央部分の紫外線強度が最も強い。つまり、紫外線殺菌保管庫１００の庫内１００Ｂにおいて、照射対象物Ｘを配置した位置や、その照射対象物Ｘの表側の面と裏側の面とで、照射対象物Ｘに照射される紫外線強度が異なるものである。
【００２８】
図２は、紫外線モニタ１０の平面図であり、図３は、図２のＡ−Ａ線に沿う紫外線モニタ１０の断面図である。
紫外線モニタ１０は、シート状の基材１１を備え、この基材１１に、当該基材１１の表面１１Ａ側に照射される紫外線量に応じて変色する表面側センサ部２１と、基材１１の裏面１１Ｂ側に照射される紫外線量に応じて変色する裏面側センサ部３１とが設けられて構成される。この基材１１は、紫外線及び可視光線のほとんどを遮断する不透明シートであり、例えば、紙やプラスチック等の樹脂で形成されている。
【００２９】
表面側センサ部２１は、照射された紫外線量に応じて変色する感光体２１Ａが、基材１１の表面１１Ａの一部分にスクリーン印刷されて形成されている。この感光体２１Ａは、円形状に形成されている。
【００３０】
この感光体２１Ａは、紫外線が照射されていない状態では白色であるが、紫外線が照射されると白色とは異なる色に変色する紫外反応染料が含まれている。更に、この感光体２１Ａは、表面１１Ａ側から照射される所定強度（例えば、８５μＷ／ｃｍ２）の紫外線Ｌ１が所定時間（例えば、２０分）に亘って照射され続けたときに、白色とは異なる所定の色（例えば、青色）に変色するように感光感度が設定されている。具体的には、感光体２１Ａには、所定強度の紫外線Ｌ１が所定時間に亘って照射され続けたときに、白色とは異なる所定の色に変色するように、紫外線吸収材が所定の割合で混合されている。即ち、感光体２１Ａは、当該感光体２１Ａに照射される紫外線量が増加するに連れて徐々に色が濃くなるように変色し、照射対象物Ｘの殺菌が完了する所定紫外線量に達した場合に、所定の色（例えば、青色）に変色する。つまり、感光体２１Ａは、紫外線量が増加するに連れて白色から水色を経て青色に変化するように、徐々に色彩が濃くなるように変色する。
【００３１】
この基材１１の表面１１Ａの一部分には、感光体２１Ａを覆う透明フィルム２２が貼られ、感光体２１Ａが保護されている。この透明フィルム２２は、可視光線及び紫外線のほとんどが透過するフィルム、或いは紫外線のほとんどが透過するが、可視光線の一部を遮断する半透明フィルムも含むものである。つまり、透明フィルム２２は、紫外線が透過すると共に、感光体２１Ａの色を確認できれば良く、可視光線に対して完全な透明である場合に限らず、感光体２１Ａの色を確認できる程度の半透明であってもよい。
【００３２】
感光体２１Ａは、表面１１Ａ側からの紫外線Ｌ１に対しては反応するが、裏面１１Ｂ側からの紫外線Ｌ２に対しては、基材１１により遮蔽されているので、ほとんど反応しない。
【００３３】
基材１１において表面側センサ部２１の近傍の一部分には、窓孔１１Ｃが形成されている。この窓孔１１Ｃは、円形状に形成されており、その径は、感光体２１Ａの径とほぼ同じである。
【００３４】
基材１１には、窓孔１１Ｃに対応する位置に紫外線カットフィルム３２が貼られ、この紫外線カットフィルム３２により窓孔１１Ｃが塞がれている。この紫外線カットフィルム３２は、紫外線Ｌ１のほとんどを遮断し、可視光線のほとんどを透過する透明フィルムである。ここで、この透明フィルムには、紫外線Ｌ１のほとんどを遮断し、可視光線の一部を遮断する半透明フィルムも含まれる。つまり、紫外線カットフィルム３２は、紫外線のほとんどを遮断すると共に、感光体３１Ａの色を確認できれば良く、可視光線に対して完全な透明である場合に限らず、感光体３１Ａの色を確認できる程度の半透明であってもよい。
【００３５】
裏面側センサ部３１は、照射された紫外線量に応じて変色する感光体３１Ａが、窓孔１１Ｃに対応する紫外線カットフィルム３２の裏面３２Ａにスクリーン印刷されて形成されている。具体的に説明すると、感光体３１Ａが印刷され、所定の大きさにカットされた紫外線カットフィルム３２が、基材１１の裏面１１Ｂにおける窓孔１１Ｃに対応する位置に貼り付けられている。この紫外線カットフィルム３２は、可視光線に対して透明であるため、感光体３１Ａの変色を、基材１１の表面１１Ａ側から紫外線カットフィルム３２を通じて視認可能となる。
【００３６】
この感光体３１Ａには、上記感光体２１Ａと同様の紫外反応染料が含まれている。更に感光体３１Ａは、裏面１１Ｂ側から照射される所定強度（例えば、８５μＷ／ｃｍ２）の紫外線Ｌ２が所定時間（例えば、２０分）に亘って照射され続けたときに、白色とは異なる所定の色（例えば、青色）に変色するように感光感度が設定されている。具体的に説明すると、感光体３１Ａには、白色とは異なる所定の色に変色するように、紫外線吸収材が所定の割合で混合されている。即ち、感光体３１Ａは、当該感光体３１Ａに照射される紫外線量が増加するに連れて徐々に色が濃くなるように変色し、照射対象物Ｘの殺菌が完了する所定紫外線量に達した場合に、所定の色（例えば、青色）に変色する。
【００３７】
感光体３１Ａは、裏面１１Ｂ側からの紫外線Ｌ２に対しては反応するが、表面１１Ａ側からの紫外線Ｌ１に対しては、紫外線カットフィルム３２により紫外線Ｌ１のほとんどが遮断されているので、ほとんど反応しない。従って、本第１実施形態では、感光体３１Ａの感光感度は、感光体２１Ａの感光感度と等しく設定されている。なお、感光体３１Ａの感光感度と感光体２１Ａの感光感度とが等しいとは、感光体３１Ａの感光感度と感光体２１Ａの感光感度とが略等しい場合も含んでいる。
【００３８】
更に、この紫外線カットフィルム３２の裏面３２Ａ側には、感光体３１Ａを覆う透明フィルム３３が貼られており、感光体３１Ａが保護されている。この透明フィルム３３は、上記透明フィルム２２と同様のフィルムである。
【００３９】
この紫外線モニタ１０を、図１に示すように、照射対象物Ｘと対にして紫外線殺菌保管庫１００の庫内１００Ｂに配置した場合、ユーザは、紫外線殺菌保管庫１００の扉１０１のガラス１０１Ｂ越しに、紫外線モニタ１０の基材１１の表面１１Ａ側を目視することができるので、表面側センサ部２１の色（即ち、紫外線量）を基材１１の表面１１Ａ側から確認できると共に、裏面側センサ部３１の色（即ち、紫外線量）を紫外線カットフィルム３２を介して基材１１の表面１１Ａ側から確認することができる。
【００４０】
つまりユーザは、照射対象物Ｘの裏面の紫外線量を確認するために紫外線モニタ１０を反転させる必要がなく、紫外線モニタ１０の基材１１の表面１１Ａ側から裏面側センサ部３１の色（即ち、基材１１の裏面１１Ｂ側に照射される紫外線量）を容易に確認することができ、照射対象物Ｘの殺菌が完了したか否かを容易に確認できる。
【００４１】
しかも、紫外線モニタ１０は、各照射対象物Ｘ近傍にそれぞれ設置されるので、各照射対象物Ｘに照射される紫外線強度が異なっても、ユーザは各紫外線モニタ１０を見ることで各照射対象物Ｘの殺菌が完了したか否かを容易に確認できる。
【００４２】
基材１１の表面１１Ａにおける各センサ部２１、３１の近傍には、図２に示すように、所定の色（例えば、青色）で表示されているマーカ４１、４２がそれぞれ設けられている。このマーカ４１の色と表面側センサ部２１の色とが一致したとき、照射対象物Ｘの表側の面の殺菌が完了したことを示しており、マーカ４２の色と裏面側センサ部３１の色とが一致したとき、照射対象物Ｘの裏側の面の殺菌が完了したことを示している。つまり、各センサ部２１、３１の色がマーカ４１、４２のそれぞれの色と一致したとき、照射対象物Ｘの殺菌が完了する。
【００４３】
図４は、紫外線殺菌保管庫１００の庫内１００Ｂに配置された紫外線モニタ１０を表面側から見た説明図である。
図４（ａ）は、紫外線モニタ１０を網棚１０３上に載置した直後を示しており、各センサ部２１、３１は、紫外線の照射時間が短いので白色である。つまり、表面側センサ部２１の色とマーカ４１の色とが異なり、裏面側センサ部３１の色とマーカ４２の色とが異なるので、照射対象物Ｘの殺菌が完了していないことが確認できる。
【００４４】
また、図４（ｂ）は、紫外線モニタ１０を網棚１０３上に載置して、紫外線ランプ１０２により紫外線を照射対象物Ｘに照射してからある程度時間が経過した場合を示している。この図４（ｂ）では、表面側センサ部２１の色とマーカ４１の色とが一致しているが、裏面側センサ部３１の色とマーカ４２の色とが異なる（つまり、裏面側センサ部３１の色がマーカ４２の色よりも薄い水色である）ので、照射対象物Ｘの殺菌が完了していないことが確認できる。
【００４５】
次に、図４（ｃ）は、更に、紫外線ランプ１０２により紫外線を照射対象物Ｘに照射した場合を示している。この図４（ｃ）に示すように、各センサ部２１、３１の色がマーカ４１、４２のそれぞれの色と一致している（つまり、各センサ部２１、３１の色が所定の色である）ので、照射対象物Ｘの殺菌が完了していることが確認できる。
【００４６】
このように、マーカ４１、４２を設けたことで、ユーザは、表面側センサ部２１とマーカ４１との色を比較し、裏面側センサ部３１とマーカ４２との色を比較することで、照射対象物Ｘの殺菌が完了したか否かが確認しやすくなる。
【００４７】
ここで、各感光体２１Ａ、３１Ａの紫外反応染料は、紫外線ランプ１０２による照射が停止した状態で元の白色に可逆的に変色するものがよい。これにより、紫外線モニタ１０を繰り返し使用することができる。
【００４８】
また、各センサ部２１、３１が互いに近接して基材１１に設けられている。例えば、各センサ部２１、３１の直径は、１０ｍｍ程度であり、センサ部２１、３１の間隔は、５ｍｍ程度である。このように、各センサ部２１、３１を近接させることで、基材１１を小型化でき、この基材１１によって他の照射対象物Ｘを紫外線から遮蔽してしまうのを抑制することができる。更に、各センサ部２１、３１を近接させることで、より照射対象物Ｘに近い所の紫外線量を確認することができる。
【００４９】
更に、各センサ部２１、３１間で所定の色に変色する時間が著しく異なる場合、ユーザは、紫外線ランプ１０２の交換時期が近づいてきたと判断できる。
【００５０】
［２］第２実施形態
上記第１実施形態では、基材１１の窓孔１１Ｃを、裏面３２Ａに感光体３１Ａを印刷した紫外線カットフィルム３２で塞いだものであったが、本第２実施形態では、基材の窓孔を、裏面３２Ａに感光体３１Ａを印刷し、且つ、可視光線及び紫外線を透過する透明フィルムで塞いだものである。以下、この第２実施形態において、上記第１実施形態と同様な部分は、同一の符号を付すことにより説明を省略する。
【００５１】
図５は、第２実施形態における紫外線モニタ１１０を示す平面図であり、図６は、図５のＢ−Ｂ線に沿う紫外線モニタ１１０の断面図である。
基材１１の表面１１Ａには、上記第１実施形態で説明した通り、感光体２１Ａがスクリーン印刷されて表面側センサ部２１が形成されている。この基材１１の表面１１Ａには、感光体２１Ａを覆う透明フィルム２２が貼られている。
【００５２】
また、基材１１には、窓孔１１Ｃに対応する位置に透明フィルム１３２が貼られ、この透明フィルム１３２により窓孔１１Ｃが塞がれている。この透明フィルム１３２は、紫外線Ｌ１のほとんどを透過すると共に、可視光線のほとんどを透過する、上記透明フィルム２２と同様の樹脂フィルムである。
【００５３】
裏面側センサ部１３１は、照射された紫外線量に応じて変色する感光体１３１Ａが、窓孔１１Ｃに対応する透明フィルム１２２の裏面１２２Ａにスクリーン印刷されて形成されている。つまり、感光体１３１Ａが印刷された透明フィルム１３２が、基材１１の裏面１１Ｂにおける窓孔１１Ｃに対応する位置に貼り付けられている。
【００５４】
更に、この透明フイルム１３２の裏面１３２Ａ側には、感光体１３１Ａを覆う透明フィルム３３が貼られており、感光体１３１Ａが保護されている。
【００５５】
感光体１３１Ａには、感光体２１Ａと同様の紫外反応染料が含まれている。更に感光体１３１Ａは、裏面１１Ｂ側から照射される所定強度（例えば、８５μＷ／ｃｍ２）の紫外線Ｌ２が所定時間（例えば、２０分）に亘って照射され続けたときに、白色とは異なる所定の色に変色するように感光感度が設定されている。具体的に説明すると、感光体１３１Ａには、白色とは異なる所定の色に変色するように、紫外線吸収材が所定の割合で混合されている。
【００５６】
ここで、透明フィルム１２２において、表面１１Ａ側から照射される紫外線Ｌ１のほとんどが裏面１１Ｂ側の感光体１３１Ａに透過してしまう。つまり、裏面側センサ部１３１には、表面１１Ａ側の紫外線Ｌ１及び裏面１１Ｂ側の紫外線Ｌ２が共に照射されることとなるので、裏面側センサ部１３１としての感光体１３１Ａの感光感度は、表面側センサ部２１としての感光体２１Ａの感光感度よりも低く設定されている。
【００５７】
本第２実施形態では、裏面側センサ部１３１としての感光体１３１Ａの感光感度は、表面側センサ部２１としての感光体２１Ａの感光感度の１／２となるように低く設定されている。言い換えると、感光体１３１Ａは、感光体２１Ａに照射される紫外線量の２倍の紫外線量で所定の色に変色するように感光感度が設定されている。
【００５８】
即ち、感光体２１Ａは、当該感光体２１Ａに照射される紫外線量が増加するに連れて徐々に色が濃くなるように変色し、照射対象物Ｘの殺菌が完了する第１の所定紫外線量に達した場合に、所定の色に変色する。一方、感光体１３１Ａは、当該感光体１３１Ａに照射される紫外線量が増加するに連れて徐々に色が濃くなるように変色するが、感光体２１Ａよりも感光感度が鈍いので、紫外線量が第１の所定紫外線量では所定の色には変色せず、第１の所定紫外線量の２倍の第２の所定紫外線量に達した場合に、所定の色に変色する。
【００５９】
ここで、本第２実施形態では、感光体１３１Ａの感光感度が、感光体２１Ａの感光感度の１／２となるように低く設定されるものとしたが、これに限るものではなく、感光体１３１Ａの感光感度は、使用される紫外線環境に応じて適宜設定されるものである。例えば、紫外線Ｌ１の強度よりも紫外線Ｌ２の強度が大きい場合、感光体１３１Ａの感光感度は、感光体２１Ａの感光感度の１／２よりも低く設定され、紫外線Ｌ１の強度よりも紫外線Ｌ２の強度が小さい場合、感光体１３１Ａの感光感度は、感光体２１Ａの感光感度の１／２よりも大きく設定される。
【００６０】
以上、本第２実施形態では、ユーザが紫外線殺菌保管庫１００の扉１０１のガラス１０１Ｂ越しに紫外線モニタ１１０の基材１１の表面１１Ａ側を目視することで、基材１１の表面１１Ａ側から表面側センサ部２１の色と裏面側センサ部１３１の色と確認することができ、基材１１の表面１１Ａに照射される紫外線量と裏面１１Ｂに照射される紫外線量とを確認することができる。つまりユーザは、裏面側センサ部１３１の色を確認するために紫外線モニタ１１０を反転させる必要がなく、紫外線モニタ１１０の基材１１の表面１１Ａ側から裏面側センサ部１３１の色を容易に確認することができ、照射対象物Ｘの殺菌が完了したか否かを容易に確認できる。
【００６１】
［３］第３実施形態
上記第１、第２実施形態では、基材が紙やプラスチック等の紫外線及び可視光線のほとんどを遮断する不透明シートである場合について説明したが、本第３実施形態では、基材が、可視光線は透過するが紫外線は遮断する透明シートである場合について説明する。以下、この第３実施形態において、上記実施形態と同様な部分は、同一の符号を付すことにより説明を省略する。
【００６２】
図７は、第３実施形態における紫外線モニタ２１０を示す平面図であり、図８は、図７のＣ−Ｃ線に沿う紫外線モニタ２１０の断面図である。
紫外線モニタ２１０の基材２１１は、紫外線のほとんどを遮断し、可視光線のほとんどを透過するシート状の紫外線カットシートである。この基材２１１の表面２１１Ａには、表面側センサ部２２１が設けられ、基材２１１の裏面２１１Ｂには、裏面側センサ部２３１が設けられている。
【００６３】
表面側センサ部２２１は、上記第１実施形態の感光体２１Ａと同様の構成の感光体２２１Ａであり、同様に、裏面側センサ部２３１は、上記第１実施形態の感光体２１Ａと同様の構成の感光体２３１Ａである。これら感光体２２１Ａ、２３１Ａは、基材２１１の面２１１Ａ、２１１Ｂにスクリーン印刷されている。
【００６４】
この基材２１１の表面２１１Ａには、感光体２２１Ａを覆う透明フィルム２２２が貼られ、感光体２２１Ａが保護されている。また、基材２１１の裏面２１１Ｂには、感光体２３１Ａを覆う透明フィルム２２３が貼られ、感光体２３１Ａが保護されている。各透明フィルム２２２、２２３は、上記第１実施形態の透明フィルム２２と同様のフィルムである。
【００６５】
本第３実施形態では、上記第１実施形態と同様に、照射対象物Ｘの殺菌が完了したか否かを容易に確認できるという効果を奏すると共に、感光体２２１Ａ、２３１Ａを、単に紫外線カットフィルムで形成した基材２１１の各面２１１Ａ、２１１Ｂに印刷するだけで良いので、窓孔を設ける必要がなく、簡単な構成であり、紫外線モニタ２１０の製造が容易となる。
【００６６】
［４］第４実施形態
上記第３実施形態では、基材が、可視光線は透過するが紫外線は遮断する透明シートである場合について説明したが、本第４実施形態では、基材が、可視光線及び紫外線を透過する透明シートである場合について説明する。以下、この第４実施形態において、上記実施形態と同様な部分は、同一の符号を付すことにより説明を省略する。
【００６７】
図９は、第４実施形態における紫外線モニタ３１０を示す平面図であり、図１０は、図９のＤ−Ｄ線に沿う紫外線モニタ３１０の断面図である。
紫外線モニタ３１０の基材３１１は、可視光線及び紫外線のほとんどを透過するシート状の樹脂シートで形成されている。この基材３１１の表面３１１Ａには、表面側センサ部３２１及び裏面側センサ部３３１が設けられている。
【００６８】
表面側センサ部３２１は、上記第１実施形態の感光体２１Ａと同様の構成の感光体３２１Ａであり、同様に、裏面側センサ部３３１は、上記第１実施形態の感光体３１Ａと同様の構成の感光体３３１Ａである。つまり、感光体３３１Ａの感光感度は、感光体３２１Ａの感光感度と等しく設定されている。なお、感光体３３１Ａの感光感度と感光体３２１Ａの感光感度とが等しいとは、感光体３３１Ａの感光感度と感光体３２１Ａの感光感度とが略等しい場合も含んでいる。
【００６９】
この基材３１１の裏面３１１Ｂには、感光体３２１Ａに対応する位置に紫外線を遮断する紫外線カットフィルム３４１が貼り付けられている。また、基材３１１の表面３１１Ａには、感光体３３１Ａを覆う、上記第１実施形態の紫外線カットフィルム３２と同様の材質の紫外線カットフィルム３４２が貼り付けられている。
【００７０】
以上、本第４実施形態では、上記第１実施形態と同様に、照射対象物Ｘの殺菌が完了したか否かを容易に確認できるという効果を奏すると共に、感光体３２１Ａ、３３１Ａを、単に基材３１１の面３１１Ａに印刷し、表面側センサ３２１としての感光体３２１Ａに対応する基材３１１の裏面３１１Ｂに紫外線カットフィルム３４１を貼り付け、裏面側センサ３３１としての感光体３３１Ａを覆う紫外線カットフィルム３４２を基材３１１の表面３１１Ａに貼り付けるだけで良いので、基材３１１に窓孔を形成する必要がなくなり、簡単な構成であり、紫外線モニタ３１０の製造が容易となる。
【００７１】
［５］第５実施形態
上記第４実施形態では、裏面側センサ部３３１としての感光体３３１Ａを覆う紫外線カットフィルム３４２を基材３１１の表面３１１Ａに貼り付けた場合について説明したが、本第５実施形態では、上記第４実施形態のものにおいて、上記第２実施形態と同様に、裏面側センサ部としての感光体の感光感度を、表面側センサ部としての感光体の感光感度よりも低く設定したものである。以下、この第５実施形態において、上記実施形態と同様な部分は、同一の符号を付すことにより説明を省略する。
【００７２】
図１１は、第５実施形態における紫外線モニタ４１０を示す平面図であり、図１２は、図１１のＥ−Ｅ線に沿う紫外線モニタ４１０の断面図である。
紫外線モニタ４１０の基材３１１は、可視光線及び紫外線のほとんどを透過するシート状の樹脂シートで形成されている。この基材３１１の表面３１１Ａには、表面側センサ部３２１及び裏面側センサ部４３１が設けられている。この基材３１１の表面３１１Ａには、裏面側センサ部４３１としての感光体４３１Ａを覆う、上記第１実施形態の透明フィルム２２と同様の構成の透明フィルム４４２が貼られており、感光体４３１Ａが保護されている。
【００７３】
この裏面側センサ部４３１としての感光体４３１Ａの感光感度は、上記第２実施形態と同様に、感光体３２１Ａの感光感度よりも低く設定されている。具体的に説明すると、感光体４３１Ａの感光感度は、感光体３２１Ａの感光感度の１／２となるように低く設定されている。言い換えると、感光体４３１Ａは、感光体３２１Ａに照射される紫外線量の２倍の紫外線量で所定の色に変色するように感光感度が設定されている。
【００７４】
以上、本第５実施形態では、上記第２実施形態と同様に、紫外線モニタ４１０を反転させることなく、紫外線モニタ４１０の基材３１１の表面３１１Ａ側から裏面側センサ部４３１の色（つまり、基材３１１の裏面３１１Ｂに照射される紫外線量）を容易に確認することができ、照射対象物Ｘの殺菌が完了したか否かを容易に確認できるという効果を奏し、基材３１１に窓孔を形成する必要がなくなり、簡単な構成であり、紫外線モニタ４１０の製造が容易となる。
【００７５】
以上、一実施形態に基いて本発明を説明したが、本発明は、これに限定されるものではない。
例えば、上記実施形態では、表面側センサ部及び裏面側センサ部を設けた場合について説明したが、表面側センサ部を省略してもよい。つまり、表面側センサ部が、裏面側センサ部が設けられている基材とは別体の基材に設けられていてもよい。
【００７６】
また、上記実施形態では、照射対象物を殺菌する場合について説明したが、これに限るものではなく、照射対象物にキュアリングを施す場合にも適用することが可能である。この場合、基材を反転させることなく、照射対象物のキュアリングが完了したか否かを容易に確認することができる。
【００７７】
また、上記実施形態では、紫外線モニタが紫外線照射装置に用いられる場合について説明したが、これに限るものではなく、紫外線モニタを紫外線照射装置以外の用途に使用することも可能である。例えば、紫外線ランプを用いた殺菌ルーム等、紫外線ランプを用いるあらゆる用途に紫外線モニタを使用することが可能である。
【００７８】
また、上記実施形態では、各感光体の紫外反応染料が、紫外線を遮断した状態で元の色（白色）に可逆的に変色する場合について説明したが、各感光体の紫外反応染料が、紫外線を遮断してもその変色した色に保持されて元の色（白色）には戻らない場合、つまり、紫外線反応染料が不可逆的に変色する場合であってもよい。この場合、紫外線モニタの各センサ部の色が元に戻らないので、殺菌が完了したことを履歴として残しておくことができる。
【図面の簡単な説明】
【００７９】
【図１】第１実施形態に係る紫外線モニタが配置される紫外線照射装置を示す斜視図である。
【図２】第１実施形態における紫外線モニタを示す平面図である。
【図３】図２のＡ−Ａ線に沿う紫外線モニタを示す断面図である。
【図４】紫外線照射装置の庫内に配置された紫外線モニタを表面側から見た説明図である。
【図５】第２実施形態における紫外線モニタを示す平面図である。
【図６】図５のＢ−Ｂ線に沿う紫外線モニタを示す断面図である。
【図７】第３実施形態における紫外線モニタを示す平面図である。
【図８】図７のＣ−Ｃ線に沿う紫外線モニタを示す断面図である。
【図９】第４実施形態における紫外線モニタを示す平面図である。
【図１０】図９のＤ−Ｄ線に沿う紫外線モニタを示す断面図である。
【図１１】第５実施形態における紫外線モニタを示す平面図である。
【図１２】図１１のＥ−Ｅ線に沿う紫外線モニタを示す断面図である。
【符号の説明】
【００８０】
１０、１１０、２１０、３１０、４１０  紫外線モニタ
１１、２１１、３１１  基材
１１Ｃ  窓孔
２１、２２１、３２１  表面側センサ部
３１、１３１、２３１、３３１、４３１  裏面側センサ部
３２、３４１、３４２  紫外線カットフィルム
１３２  透明フィルム
【図１】
2006138686.tif 000003
【図２】
2006138686.tif 000004
【図３】
2006138686.tif 000005
【図４】
2006138686.tif 000006
【図５】
2006138686.tif 000007
【図６】
2006138686.tif 000008
【図７】
2006138686.tif 000009
【図８】
2006138686.tif 000010
【図９】
2006138686.tif 000011
【図１０】
2006138686.tif 000012
【図１１】
2006138686.tif 000013
【図１２】
2006138686.tif 000014